(57)【特許請求の範囲】
【請求項１】
赤外線ヒータ(4) の後方にファン(8) を配設してなる赤外線治療器において、前記赤外線ヒータ(4) の近傍に温度センサ(20)を配設し、前記赤外線ヒータ(4) と前記ファン(8) との間に、通電後直ちに発熱可能であり前記赤外線ヒータ(4) の温度上昇を促進する補助ヒータ(7) を配設し、電源を投入すると前記赤外線ヒータ(4) 及び前記補助ヒータ(7) に通電するとともに前記ファン(8) を駆動し、前記温度センサ(20)により前記赤外線ヒータ(4) が遠赤外線を放射する一定温度以上になったことを検出した時に、前記赤外線ヒータ(4) を作動させたまま、前記ファン(8) 及び前記補助ヒータ(7) の出力を低下させ、又は、前記ファン(8) 及び前記補助ヒータ(7) を停止させることを特徴とする赤外線治療器。
【請求項２】
赤外線ヒータ(4) の後方にファン(8) を配設してなる赤外線治療器において、タイマー(23)を具備し、前記赤外線ヒータ(4) と前記ファン(8) との間に、通電後直ちに発熱可能であり前記赤外線ヒータ(4) の温度上昇を促進する補助ヒータ(7) を配設し、電源を投入すると前記赤外線ヒータ(4) 及び前記補助ヒータ(7) に通電するとともに前記ファン(8) を駆動し、前記タイマー(23)により前記赤外線ヒータ(4) が遠赤外線を放射する一定時間以上経過したことを検出した時に、前記赤外線ヒータ(4) を作動させたまま、前記ファン(8) 及び前記補助ヒータ(7) の出力を低下させ、又は、前記ファン(8) 及び前記補助ヒータ(7) を停止させることを特徴とする赤外線治療器。
【請求項３】
前記ファン(8) を停止させた後、タイマー(23)により一定時間以上経過したことを検出した時に前記ファン(8) を通常駆動させたことを特徴とする請求項１又は請求項２に記載の赤外線治療器。
【請求項４】
温度センサ(20)により一定温度以上になったことを検出した時に、赤外線ヒータ(4) の出力を低下させたことを特徴とする請求項１〜請求項３のいずれかに記載の赤外線治療器。
【請求項５】
タイマー(23)により一定時間以上経過したことを検出した時に、赤外線ヒータ(4) の出力を低下させたことを特徴とする請求項１〜請求項３のいずれかに記載の赤外線治療器。
【請求項６】
前記ファン(8) の前方に温度センサ(20)を配置するとともに、同温度センサ(20)の直後方に遮断壁を形成し、同遮断壁によりファン(8) からの送風を遮るべく構成したことを特徴とする請求項１、請求項４のいずれかに記載の赤外線治療器。
【請求項７】
前記赤外線ヒータ(4) の前方に温度センサ(20)を配置したことを特徴とする請求項１、請求項４のいずれかに記載の赤外線治療器。
【発明の詳細な説明】
【０００１】
【発明の属する技術分野】
本発明は、赤外線治療器に関する。
【０００２】
【従来の技術】
従来、温熱効果によって筋肉のこりをほぐすために用いられる赤外線治療器として、筒状ケーシングの前方に赤外線ヒータを配設するとともに、同赤外線ヒータの後方にファンを配設し、筒状ケーシングを支柱に連設したものがあり、赤外線ヒータとしては、薄板表面に電熱線を巻回してなるヒータ基板の前面に、ステンレス板やアルミニウム板の前面にセラミックスを塗布焼成してなる赤外線プレート及び絶縁層を積層するとともに、前記ヒータ基板の後面に絶縁層及びバックプレートを積層して構成したものがある。
【０００３】
【発明が解決しようとする課題】
ところが、上記従来の赤外線治療器にあっては、赤外線ヒータの熱容量が大きいため、赤外線ヒータに通電しても遠赤外線を放射する温度には即座に昇温せず、一般的には数分程度の時間を要しており、赤外線治療器の電源を入れても、実際に遠赤外線が患部に作用するのは数分経過した後であり、それまでは放射熱量も少ないために患部はさほど温まらないものであったため、赤外線ヒータの後方に配設したファンにより、赤外線ヒータの熱を患部に向けて送風していた。
【０００４】
そのため、赤外線ヒータを加熱するための電力に加え、ファンを駆動するための電力が必要となり、赤外線治療器の消費電力が大きくなってしまい、しかも、ファンの回転によって音や振動が生じることもあり、使用者にとってあまり使用感の良好なものとは言い難い面も有していた。
【０００５】
【課題を解決するための手段】
そこで、本発明は、赤外線ヒータの後方にファンを配設してなる赤外線治療器において、前記赤外線ヒータの近傍に温度センサを配設し、前記赤外線ヒータと前記ファンとの間に、通電後直ちに発熱可能であり前記赤外線ヒータの温度上昇を促進する補助ヒータを配設し、電源を投入すると前記赤外線ヒータ及び前記補助ヒータに通電するとともに前記ファンを駆動し、前記温度センサにより前記赤外線ヒータが遠赤外線を放射する一定温度以上になったことを検出した時に、前記赤外線ヒータを作動させたまま、前記ファン及び前記補助ヒータの出力を低下させ、又は、前記ファン及び前記補助ヒータを停止させることとしている。
【０００６】
また、赤外線ヒータの後方にファンを配設してなる赤外線治療器において、タイマーを具備し、前記赤外線ヒータと前記ファンとの間に、通電後直ちに発熱可能であり前記赤外線ヒータの温度上昇を促進する補助ヒータを配設し、電源を投入すると前記赤外線ヒータ及び前記補助ヒータに通電するとともに前記ファンを駆動し、前記タイマーにより前記赤外線ヒータが遠赤外線を放射する一定時間以上経過したことを検出した時に、前記赤外線ヒータを作動させたまま、前記ファン及び前記補助ヒータの出力を低下させ、又は、前記ファン及び前記補助ヒータを停止させることとしている。
【０００７】
さらに、前記ファンを停止させた後、タイマーにより一定時間以上経過したことを検出した時に前記ファンを通常駆動させることとしている。
【０００８】
さらに、温度センサにより一定温度以上になったことを検出した時に、赤外線ヒータの出力を低下させることとしている。
【０００９】
また、タイマーにより一定時間以上経過したことを検出した時に、赤外線ヒータの出力を低下させることとしている。
【００１０】
しかも、前記ファンの前方に温度センサを配置するとともに、同温度センサの直後方に遮断壁を形成し、同遮断壁によりファンからの送風を遮るべく構成することとしている。
【００１１】
また、前記赤外線ヒータの前方に温度センサを配置することとしている。
【００１４】
【発明の実施の形態】
以下、添付図面を参照しながら本発明の実施の形態について詳述する。
【００１５】
図１〜図３は、本発明に係る赤外線治療器Ａを示しており、赤外線治療器Ａは、筒状のヘッドケーシング１の外周面下部に把持部２を取付けたハンディタイプに形成しており、スタンド３に突設した支持用筒部30に把持部２を挿通した状態で治療器本体A1を載置可能としている。
【００１６】
把持部２は、ヘッドケーシング１の外周面下部に形成した取付用枢支部1aに枢支されて折畳自在となっており、同把持部２の前面に操作スイッチ10及びLED 表示式の表示部11からなる操作部Ｂを取付け、把持部２の下端から電源コードＣを伸延させている。2aは枢支軸、31は電源コードＣを逃がすためにスタンド３の支持用筒部に形成したスリットである。
【００１７】
ヘッドケーシング１は左右一対の半割りケーシング1b,1b を接合して形成したもので、中央部から前端部にかけて漸次拡径した前後端開口の筒状に形成されており、前端開口部12及び後端開口部13にはそれぞれメッシュ状の前後側カバー体14,15 を装着している。15a は後側カバー体15に外嵌したリング、16はヘッドケーシング１の前端開口部12に着脱自在に取付けたキャップである。
【００１８】
また、ヘッドケーシング１の内部には、図２に示すように、前側から順に、截頭椀状の反射板５、遠赤外線を放射する赤外線ヒータ４、温度ヒューズ63及び温度センサ20、通電後直ちに発熱可能とした補助ヒータ７、同補助ヒータ７の熱を前端開口部12から患部に向けて送るためのファン８及びファンモータ82をそれぞれ配設している。
【００１９】
赤外線ヒータ４は、ネジ体41a を突設した円形のバックプレート41に、ステンレスやアルミニウム等の金属板にセラミックスを塗布焼成した円形の赤外線プレート40を取付けたもので、赤外線プレート40とバックプレート41との間に絶縁板42としてのマイカ板により挟持されたヒータ基板43を介設して構成しており、ヒータ基板43は、薄板に電熱線43a を薄板表面に沿って巻回して形成している。
【００２０】
そして、前記左右一対のヘッドケーシング１の内周面に形成したリブ1cにより円筒状の筒状ユニットケーシングＥの外周に形成した係合用フランジE4を挟持し、同筒状ユニットケーシングＥの中空部Ｄに環状の環状固定板17を取付け、同環状固定板17に形成した緩衝用突片９の取付孔90に、赤外線ヒータ４のバックプレート41に突設したネジ体41a を緩衝部材としてのシリコンブッシュ91を介して取付けている。なお、筒状ユニットケーシングＥは、前側短筒部E1と後側リング部E2より構成しており、筒状ユニットケーシングＥの中空部Ｄの中途に形成した挟持爪E3に、環状固定板17の環状部17a の外周に形成した係合凸片17b を係止させている。
【００２１】
赤外線ヒータ４としては、上記構成におけるヒータ基板43及び電熱線43a のみで構成することもでき、これに赤外線放射体としての粉末、例えば、珪酸塩を主材として焼結し、粉砕して得られたものをバインダーを介して吹き付けやディッピング等の方法で被覆したものとしてもよい。
【００２２】
温度ヒューズ63は、前記筒状ユニットケーシングＥの中空部Ｄに環状固定板17とともに取付けられた取付板60の前面の取付面60a に、ステンレス等の金属製のヒューズ取付具63a を介して赤外線ヒータ４に密着状態に取付けて、異常温度になった際に、温度ヒューズ63を直ちに作動させ、赤外線治療器Ａの電源を切断させるようにしている。60b は取付用の脚片、63b は取付ビスである。
【００２３】
補助ヒータ７は、通電直後から発熱する剥き出しのヒータ線を用いており、図２及び図３に示すように、二枚の基板を断面視十字状に組み合わせてなるコイル基板71にコイル状のヒータ線を巻回して構成し、前記赤外線ヒータ４よりも小径とした筒状の遮熱ケーシング70に収納し、前記筒状ユニットケーシングＥの後端に形成した遮熱ケーシング嵌合片E5に取付けている。80はファンケース、81はファン駆動軸である。
【００２４】
また、補助ヒータ７には、サーモスタット62を直列しており、前記温度ヒューズ63と同様に、ヘッドケーシング１内が異常温度になった際に、補助ヒータ７の電源を切断するようにしている。
【００２５】
また、反射板５は、ステンレスやアルミニウム等の金属板を截頭椀状に形成したものであり、先端周縁を上記したキャップ16と前端開口部12との間に挟着し、赤外線ヒータ４を囲繞するように配設している。
【００２６】
そして、補助ヒータ７を囲繞する遮熱ケーシングの先端を反射板５の截頭部分に臨ませることにより、図２に示すように、反射板５の表面に沿って温風路が形成され、同温風路に案内されて、補助ヒータ７からファン８により送られる温風は前端開口部12から患部に向けて送風されるようにしている。
【００２７】
次に、赤外線治療器Ａの動作について、図５に示す回路ブロック図に基づいて説明すると、操作スイッチ10を操作して電源を投入すると、20分作動のタイマー23が作動し、表示部11の表示ランプが全て点灯して、患部一個所当たりの治療時間として最適と考えられる20分の表示をするようにしている。
【００２８】
そして、電源投入と同時に制御部24により入切スイッチ29及びスイッチ25が接続状態となり、赤外線ヒータ４及び補助ヒータ７に通電されるとともに、ファン８が駆動し、ファン８の回転により補助ヒータ７からの約50度の熱が送風され、赤外線ヒータ４の温度上昇を促進するとともに、赤外線治療器Ａの立上がり直後から温風を患部に送るようにしている。なお、ヘッドケーシング１の前端開口部12から患部までの適切な距離は約20cmであり、この間において約50度の熱風は、人体に心地好さを与える30〜40度前後の温風となって患部に作用するようにしている。
【００２９】
その後、赤外線ヒータ４が遠赤外線を放射するに十分な250 度前後の温度に達したことを温度センサ20により検出した時に、制御部24がスイッチ25を切断状態にして、補助ヒータ７及びファン８を停止するようにしている。
【００３０】
そして、時間の経過とともに、表示部11の点灯数が減るようにして使用時間を容易に認識することができるようにし、所定時間すなわち20分が経過すると、表示部11全てが消灯し、かつ、電源が切断状態となるようにしている。
【００３１】
上述したように、温度センサ20により一定温度以上になったことを検出した時に、補助ヒータ７及びファン８を停止させているため、赤外線治療器Ａを作動させた直後においては、補助ヒータ７及びファン８により温風が患部に送風されて使用感を良好なものとすることができ、赤外線治療器Ａの使用中においては、赤外線治療器Ａの消費電力を低減することができるとともに、ファン８の回転による音や振動を無くすことができ、使用感を良好なものとすることができる。
【００３２】
本実施例においては、温度センサ20により一定温度以上になったことを検出した時に、補助ヒータ７及びファン８を停止させているが、温度センサ20に代えてタイマー23を用い、同タイマー23により一定時間以上経過したことを検出した時に、補助ヒータ７及びファン８を停止させることもできる。
【００３３】
すなわち、あらかじめ赤外線ヒータ４が通電から遠赤外線を放射する温度に達するまでの所要時間を測定しておき、電源投入後所要時間（例えば３分）経過したことをタイマー23が検出した時に、制御部24によりスイッチ25を切断状態にして、補助ヒータ７及びファン８を停止させ、前述したように、赤外線治療器Ａの消費電力を低減することができるとともに、ファン８の回転による音や振動を無くすことができ、使用感を良好なものとすることができる。
【００３４】
また、本実施例においては、補助ヒータ７及びファン８を停止させているが、補助ヒータ７及びファン８の出力を低下させることによっても、赤外線治療器Ａの消費電力を低減することができるとともに、ファン８の回転による音や振動を低減することができる。
【００３５】
また、遮断壁として機能する取付板60の前面に温度センサ20を取付け、同取付板60によりファン８からの送風を遮るべく構成しているため、温度センサ20がファン８による送風の影響を受けることがなく、温度センサ20が誤動作しないような構成にしている。
【００３６】
図11は、本発明に係る赤外線治療器Ａを模式的に示した図であり、本実施例においては、同図に示すように、温度センサ20を遮断壁として機能する取付板60の前面に取付けているが、赤外線ヒータ４の前方に配置することもできる。
【００３７】
その場合には、部品点数を増加することなく、温度センサ20がファン８による送風の影響を受けることがなく、しかも、赤外線ヒータ４の放射する遠赤外線の温度を感知することができ、温度センサ20がより正確に動作するような構成にすることができる。
【００３８】
図６は、第二実施例としての赤外線治療器Ａの回路ブロックを示した図であり、本実施例においては、赤外線ヒータ４及び補助ヒータ７にヒータスイッチ26を直列しており、同ヒータスイッチ26は、２接点リレー等を用いて赤外線ヒータ４と補助ヒータ７とを独立して作動させることができるスイッチ構成をしている。
【００３９】
そして、制御部24により、図７に示すような制御を行うようにしている。
【００４０】
すなわち、操作スイッチ10の操作により赤外線治療器Ａの電源投入時(A) には、制御部24によりヒータスイッチ26、ファンスイッチ34、入切スイッチ29を接続状態にして、赤外線ヒータ４、補助ヒータ７、ファン８全てを作動させ、赤外線治療器Ａの使用直後から温風を患部に送風して、使用感を良好なものとしている。
【００４１】
そして、温度センサ20により一定温度以上になったことを検出した時(B) には、制御部24によりヒータスイッチ26の補助ヒータ７側のスイッチ及びファンスイッチ34を切断状態にして、補助ヒータ７及びファン８を停止させ、赤外線治療器Ａの消費電力を低減させるとともに、ファン８の回転による音や振動を無くして、使用感を良好なものとしている。
【００４２】
しかも、タイマー23により一定時間が経過したことを検出した時(C) には、制御部24によりヒータスイッチ26の赤外線ヒータ４側のスイッチを切断状態にするとともにファンスイッチ34を再度接続状態にして、赤外線ヒータ４を停止させるとともにファン８を再始動させ、赤外線ヒータ４や前側カバー体14を冷却するとともに、一定時間の使用により帯熱した赤外線治療器Ａ自体をも冷却して、例えば、前側カバー体14に手が触れても火傷等のおそれがなく、安全性に優れた赤外線治療器Ａとしている。
【００４３】
この際に、一定時間として、例えば、使用者が使用開始時に設定したタイマー設定時間の２分前とすることにより、使用者はファン８の再始動によってタイマー設定時間の終了が間もなくであることを認識することができ、更に赤外線治療器Ａの延長使用を望む場合にはタイマー設定時間の延長をすることができる。
【００４４】
そして、タイマー設定時間が経過した時(D) には、制御部24により入切スイッチ29及びファンスイッチ34を切断状態にして、ファン８を停止させるようにしている。
【００４５】
また、本実施例においても、前記第一の実施例と同様に、温度センサ20に代えてタイマー23を用い、同タイマー23により一定時間以上経過したことを検出した時(B) に、補助ヒータ７及びファン８を停止させるようにしてもよい。
【００４６】
さらに、前述したように、補助ヒータ７及びファン８を完全に停止させずに、出力を低下させるようにしてもよい。
【００４７】
図８は、第三実施例としての赤外線治療器Ａの回路ブロックを示した図であり、本実施例においては、補助ヒータ７に温度センサ20を直列しており、同温度センサ20としては、バイメタルやサーミスタを用いることができる。32は設定時間経過後に電源を切断状態にするよう作動するタイマースイッチである。
【００４８】
温度センサ20としてバイメタルを用いた場合には、一定温度以上になった時に、バイメタルにおいて電気的に切断され、補助ヒータ７及びファンモータ82が停止するようにしている。
【００４９】
そのため、赤外線治療器Ａの消費電力を低減することができるとともに、ファン８の回転による音や振動を無くすことができ、使用感を良好なものとすることができる。
【００５０】
また、温度センサ20としてサーミスタを用いた場合には、一定温度以上になった時に、サーミスタにおいて電圧降下が生じ、補助ヒータ７及びファン８の出力が低下するようにしている。
【００５１】
そのため、赤外線治療器Ａの消費電力を低減することができるとともに、ファン８の回転による音や振動を低減することができる。
【００５２】
また、図９及び図13は、第四実施例としての赤外線治療器Ａを示しており、図９は回路ブロックを示した図、図13は回路構成を模式的に示した図であり、本実施例においては、補助ヒータ７を設けず、ファン８に温度センサ20を直列しており、同温度センサ20としては、前記同様、バイメタルやサーミスタを用いることができる。32は設定時間経過後に電源を切断状態にするよう作動するタイマースイッチである。
【００５３】
図10は、第五実施例としての赤外線治療器Ａの回路ブロックを示した図であり、本実施例においては、赤外線ヒータ４及びファン８（ファンモータ82）に切換スイッチ27を直列するともに、同切換スイッチ27の赤外線ヒータ４側のスイッチ27a には、抵抗28を並列しており、切換スイッチ27は連動スイッチを用いている。なお、抵抗28に代えてダイオードを用いてもよい。
【００５４】
そして、操作スイッチ10の操作により赤外線治療器Ａの電源投入時には、切換スイッチ27の赤外線ヒータ４側のスイッチ27a 及びファンモータ82の側スイッチ27b を接続して、赤外線ヒータ４、ファン８両方を作動させ、赤外線治療器Ａの使用直後から温風を患部に送風して、使用感を良好なものとしている。
【００５５】
しかも、温度センサ20により一定温度以上になったことを検出した時には、切換スイッチ27の赤外線ヒータ４の側スイッチ27a 及びファンモータ82の側スイッチ27b を切断して、ファンモータ82を停止させるとともに、赤外線ヒータ４に直列した抵抗28により赤外線ヒータ４の出力を低減させている。
【００５６】
そのため、ファンモータ82の停止により赤外線治療器Ａの消費電力を低減させることができるとともに、ファン８の回転による音や振動が無くなり、使用感を良好なものとすることができる。
【００５７】
また、ファン８を停止させることにより赤外線ヒータ４の周囲の温度が上昇し、熱膨張によって電熱線43a が折曲部43b において切断してしまったり、或いは、ヘッドヘーシング１が熱変形してしまうおそれがあるが、ファン８とともに赤外線ヒータ４の出力を低減させることにより、それらを防止することができる。
【００５８】
図４及び図12は、第六実施例としての赤外線治療器Ａを示しており、赤外線ヒータ４は、図４に示すように、薄板に電熱線43a を薄板表面に沿って巻回してヒータ基板43を形成し、同ヒータ基板43の前面に赤外線プレート40及び絶縁板42を積層するとともに、前記ヒータ基板43の後面に一部切欠した放熱孔21,22 を形成したバックプレート41及び絶縁板42を積層し、電熱線43a を露出させた構成としている。40a は取付片である。
【００５９】
そして、図12において矢印で示すように、電熱線43a の熱を放熱孔21,22 を通して赤外線ヒータ４の後方に放出させるとともにファン８で患部に送風させている。
【００６０】
そのため、前掲した図11に示す補助ヒータ７を省略しても、赤外線治療器Ａの使用開始直後から患部を温めることができ、使用感を良好なものとすることができる。
【００６１】
その際に、電熱線43a の熱の一部がファン８の送風により奪われることになるが、図14に模式的に示すように、電熱線43a を二重に巻回することにより、前掲した図３に示す場合と同等に赤外線プレート40を加熱することができるようにしている。
【００６２】
さらに、図14に示すように、一方の電熱線43a のみに温度センサ20としてのバイメタルを直列し、同バイメタルにより一定温度以上になったことを検出した時には、バイメタルにおいて一方の電熱線43a が電気的に切断され、他方の電熱線43a のみが作動するようにして、ファン８（ファンモータ82）を停止させるとともに、赤外線ヒータ４の出力を低減させている。
【００６３】
そのため、赤外線ヒータ４の出力低減やファンモータ82の停止により赤外線治療器Ａの消費電力を低減させることができるとともに、ファン８の回転による音や振動が無くなり、使用感を良好なものとすることができ、しかも、熱膨張による電熱線43a の断線や、ヘッドヘーシング１の熱変形を防止することができる。
【００６４】
【発明の効果】
本発明は、以上説明したような形態で実施され、以下に記載されるような効果を奏する。
【００６５】
(1) 請求項１又は請求項２記載の本発明では、温度センサにより赤外線ヒータが遠赤外線を放射する一定温度以上になったことを検出した時に、又は、タイマーにより赤外線ヒータが遠赤外線を放射する一定時間以上経過したことを検出した時に、ファン及び補助ヒータの出力を低下させ、又は、ファン及び補助ヒータを停止させているため、赤外線治療器の消費電力を低減することができるとともに、ファンの回転による音や振動を減少あるいは消滅させることができ、使用感を良好なものとすることができる。また、赤外線治療器を作動させた直後においては、温風が患部に送風されて使用感を良好なものとすることができ、赤外線治療器の使用中においては、赤外線治療器の消費電力を低減することができる。さらに、前記赤外線ヒータと前記ファンとの間に、通電後直ちに発熱可能であり前記赤外線ヒータの温度上昇を促進する補助ヒータを配設し、電源を投入すると前記赤外線ヒータ及び前記補助ヒータに通電するとともに前記ファンを駆動するので、赤外線ヒータの温度上昇を促進することができる。
【００６６】
(2) 請求項３記載の本発明では、ファンを停止させ後、タイマーにより一定時間以上経過したことを検出した時に前記ファンを通常駆動させているため、一定時間経過後に赤外線ヒータや前側カバー体を冷却することができるとともに、一定時間の使用により帯熱した赤外線治療器自体をも冷却することができ、例えば、前側カバー体に手が触れても火傷等のおそれがなく、安全性に優れた赤外線治療器とすることができる。
【００６７】
(3) 請求項４又は請求項５記載の本発明では、温度センサにより一定温度以上になったことを検出した時に、又は、タイマーにより一定時間以上経過したことを検出した時に、ファンの出力を低下させ、又は、ファンを停止させるとともに、赤外線ヒータの出力を低下させているため、熱膨張による電熱線の断線や、ヘッドヘーシングの熱変形を防止することができる。
【００６９】
(5) 請求項６記載の本発明では、ファンの前方に温度センサを配置するとともに、同温度センサの直後方に遮断壁を形成し、同遮断壁によりファンからの送風を遮るべく構成しているため、温度センサがファンによる送風の影響を受けることがなく、温度センサが誤動作しないような構成にすることができる。
【００７０】
(6) 請求項７記載の本発明では、赤外線ヒータの前方に温度センサを配置しているため、部品点数を増加することなく、温度センサがファンによる送風の影響を受けることがなく、しかも、赤外線ヒータの放射する遠赤外線の温度を感知することができ、温度センサが誤動作しないような構成にすることができる。
【図面の簡単な説明】
【図１】本発明に係る赤外線治療器の側面図。
【図２】同側面断面図。
【図３】同分解斜視図。
【図４】赤外線ヒータの分解斜視図。
【図５】本発明に係る赤外線治療器の回路ブロック図。
【図６】第二実施例としての赤外線治療器の回路ブロック図。
【図７】同タイミング図。
【図８】第三実施例としての赤外線治療器の回路ブロック図。
【図９】第四実施例としての赤外線治療器の回路ブロック図。
【図１０】第五実施例としての赤外線治療器の回路ブロック図。
【図１１】赤外線治療器を模式的に示した説明図。
【図１２】赤外線治療器を模式的に示した説明図。
【図１３】赤外線治療器の回路構成を模式的に示した説明図。
【図１４】赤外線治療器の回路構成を模式的に示した説明図。
【符号の説明】
Ａ  赤外線治療器
１  ヘッドケーシング
２  把持部
４  赤外線ヒータ
５  反射板
７  補助ヒータ
８  ファン
10  操作スイッチ
11  表示部
20  温度センサ
21,22   放熱孔
23  タイマー
24  制御部
40  赤外線プレート
41  バックプレート
42  絶縁板
43  ヒータ基板
63  温度ヒューズ
82  ファンモータ
【図１】
0003795583.tif 000002
【図２】
0003795583.tif 000003
【図３】
0003795583.tif 000004
【図４】
0003795583.tif 000005
【図５】
0003795583.tif 000006
【図６】
0003795583.tif 000007
【図７】
0003795583.tif 000008
【図８】
0003795583.tif 000009
【図９】
0003795583.tif 000010
【図１０】
0003795583.tif 000011
【図１１】
0003795583.tif 000012
【図１２】
0003795583.tif 000013
【図１３】
0003795583.tif 000014
【図１４】
0003795583.tif 000015